(57)【要約】【課題】換気装置の煙捕集効率を高めることができる風向ルーバーを提供することを目的とする。【解決手段】調理機器であるＩＨ調理コンロ８に備えられたロースター１５の排気口１０に取り付けるための取付手段を構成する係止部４と、排気口１０から吹き出される排気流を、ＩＨ調理コンロ８の上方に設けられる排気装置１６の吸込口１６ａに向かうように前方寄りに吹き出させるための風向手段である羽根部２とを備え、係止部４を、排気口１０を覆って設けられる排気カバー７とＩＨ調理コンロ８のトッププレート８ａとの間に装着させて着脱自在とすることにより、換気装置の煙捕集効率を高めることができる。【選択図】図４
2005274037.tif 000002
【特許請求の範囲】
【請求項１】
調理機器に備えられたロースターの排気口に取り付けるための取付手段と、前記排気口から吹き出される排気流を、前記調理機器の上方に設けられる排気装置の吸込口に向かうように前方寄りに吹き出させるための風向手段とを備え、前記取付手段により前記排気口に着脱自在としたことを特徴とする風向ルーバー。
【請求項２】
前記排気口を覆って設けられる排気カバーの上に着脱自在に設けられることを特徴とする請求項１に記載の風向ルーバー。
【請求項３】
前記取付手段を前記排気カバーと調理機器のトッププレートとの間に装着させて着脱自在とすることを特徴とする請求項２に記載の風向ルーバー。
【請求項４】
前記取付手段は下方に向けて突出させて形成した係止部で構成されることを特徴とする請求項１、２、または３に記載の風向ルーバー。
【請求項５】
前記係止部は一端側にのみ設けることを特徴とする請求項４に記載の風向ルーバー。
【請求項６】
前記係止部は前記排気口を覆って設けられる排気カバーと調理機器のトッププレートとの間に嵌挿されることを特徴とする請求項５に記載の風向ルーバー。
【請求項７】
前記風向手段は傾斜角度が前後方向に可変自在な羽根部で構成されることを特徴とする請求項１〜６のいずれかに記載の風向ルーバー。
【請求項８】
前記羽根部はたたむことで全閉可能な構成とすることを特徴とする請求項７記載の風向ルーバー。
【請求項９】
表面に親水性塗装を施したことを特徴とする請求項１〜８のいずれかに記載の風向ルーバー。
【請求項１０】
表面に光触媒塗装を施したことを特徴とする請求項１〜８のいずれかに記載の風向ルーバー。
【請求項１１】
調理機器の後方で壁側のロースターの排気口から上昇しようとする油煙等を、請求項１〜１０のいずれかに記載の風向ルーバーにより前方側に吹き出させて、前記調理機器の上方に備えた排気装置の吸込口へ誘導する気流を形成させることを特徴とする換気装置。
【発明の詳細な説明】
【技術分野】
【０００１】
本発明は、ＩＨ調理コンロなどに備えられるロースターの排気口から発生する油煙等の風向を変える風向ルーバーに関するものである。
【背景技術】
【０００２】
従来、調理コンロ側から発生する油煙等を排気するための換気装置としては、調理で発生する蒸気や油煙の拡散を防ぐためにレンジフードにエアーカーテン効果を持たせたものが知られている（例えば、特許文献１参照）。以下、そのレンジフードについて、図８を参照しながら説明する。
【０００３】
図８に示すように、この種の換気装置は、箱体状の本体フード１０１と、給気用通風路１０２を形成するように本体フード１０１を覆い給気用通風路１０２の下端部を吹出口とした構成の箱体状の外枠フード１０３と、本体フード１０１の内部に設けられた排気用送風機１０４と、給気用通風路１０２と連通する給気用送風機１０５とを備えたレンジフードにより、給気用通風路１０２から供給される空気でコンロ側から発生する蒸気や油煙が拡散しないように排気するものであった。
【０００４】
また、図９および図１０に示すように、ロースター付きの調理コンロ１０６には、ロースター１０７から発生する蒸気や油煙の排気口１０８を調理コンロ１０６の後方に配置されているものである。そして、調理コンロ１０６はその背面１０９を壁１１０に添わせて設置されることが多く、前記構成では排気口１０８がコンロの後方に位置する。
【特許文献１】特開平４−２９２７３５号公報
【発明の開示】
【発明が解決しようとする課題】
【０００５】
このように従来の換気装置では、壁に沿って上昇した油煙等が拡散しないように空気を供給する方式であるが排気用と給気用に送風機を２台使用することから、消費電力や騒音が増加するという課題があった。また、給気用通風路が必要となるためフードが大きくなるという課題があった。
【０００６】
また、調理コンロ１０６の後方側に位置する排気口１０８から排出された油煙は、壁１１０に沿うように上昇するコアンダー現象が起きるため、調理コンロ１０６の中央部の排気を主として配置されたレンジフード１１１では壁に沿って上昇した油煙を捕集することが難しいという課題があった。
【０００７】
本発明は、このような課題を解決するもので、換気装置の煙捕集効率を高めることができる風向ルーバーを提供することを目的とする。
【課題を解決するための手段】
【０００８】
本発明の風向ルーバーは、前記従来の課題を解決するために、調理機器に備えられたロースターの排気口に取り付けるための取付手段と、前記排気口から吹き出される排気流を、前記調理機器の上方に設けられる排気装置の吸込口に向かうように前方寄りに吹き出させるための風向手段とを備え、前記取付手段により前記排気口に着脱自在としたものである。
【０００９】
また、他の手段は、前記風向ルーバーは前記排気口を覆って設けられる排気カバーの上に着脱自在に設けられるものである。
【００１０】
また、他の手段は、前記取付手段は前記排気カバーと調理機器のトッププレートとの間に装着させて風向ルーバーを着脱自在としたものである。
【００１１】
また、他の手段は、前記取付手段は下方に向けて突出させて形成した係止部で構成されるものである。
【００１２】
また、他の手段は、前記係止部は一端側にのみ設けるものである。
【００１３】
また、他の手段は、前記係止部は前記排気口を覆って設けられる排気カバーと調理機器のトッププレートとの間に嵌挿されるものである。
【００１４】
また、他の手段は、前記風向手段は傾斜角度が前後方向に可変自在な羽根部で構成されるものである。
【００１５】
また、他の手段は、前記羽根部はたたむことで全閉可能な構成とするものである。
【００１６】
また、他の手段は、風向ルーバーの表面に親水性塗装を施したものである。
【００１７】
また、他の手段は、風向ルーバーの表面に光触媒塗装を施したものである。
【００１８】
また、他の手段は、調理機器の後方で壁側のロースターの排気口から上昇しようとする油煙等を、本発明の風向ルーバーにより前方側に吹き出させて、前記調理機器の上方に備えた排気装置の吸込口へ誘導する気流を形成させるものである。
【発明の効果】
【００１９】
以上のように発明によれば、ロースターの排気口から発生する油煙等が壁に沿って上昇するのを防止して排気装置の吸込口に流れる気流を形成できるので、捕集効率の良い排気が行われる。また、ロースターの使用時以外は風向ルーバーを取外すことができるので、調理の妨げにならないものでもある。
【発明を実施するための最良の形態】
【００２０】
本発明の請求項１に記載の風向ルーバーは、調理機器に備えられたロースターの排気口に取り付けるための取付手段と、前記排気口から吹き出される排気流を、前記調理機器の上方に設けられる排気装置の吸込口に向かうように前方寄りに吹き出させるための風向手段とを備え、前記取付手段により前記排気口に着脱自在としたものであり、壁に沿って上昇しやすいロースターから発生する油煙や蒸気を調理機器の前方に向けることにより、前記調理機器の上方に設けられた排気装置で効率良く排気ができ油煙が室内に残ることを防止することができるという作用を有する。また、着脱可能な構成とすることにより、ロースターの使用時以外は取り外して調理作業の邪魔にならないという作用を有する。
【００２１】
また、請求項２に記載の発明は、請求項１に記載の風向ルーバーは、前記排気口を覆って設けられる排気カバーの上に着脱自在に設けられるものであり、風向ルーバーのベースの裏面側が排気カバーに当接されて設置されることにより風向ルーバーの設置性を安定させることができるという作用を有する。また、通常、排気カバーは鋼鈑にパンチングを施したものであるのでその表面は比較的滑らかであるため、風向ルーバーのベースの裏面側が排気カバーに当接されて設置されることにより前記風向ルーバーの位置を排気口に合わせるように調整するときに風向ルーバーをスムーズに滑らしながら移動させることができるという作用を有する。
【００２２】
また、請求項３に記載の発明は、請求項２に記載の風向ルーバーは、前記取付手段を前記排気カバーと調理機器のトッププレートとの間に装着させて着脱自在とするものであり、前記排気カバーと調理機器のトッププレートとの間に通常生じる隙間を活用して風向ルーバーを固定することができるので、前記取付手段を簡単な構成で形成することができるという作用を有する。
【００２３】
また、請求項４に記載の発明は、請求項１、２、または３に記載の風向ルーバーにおいて、前記取付手段は下方に向けて突出させて形成した係止部で構成されるものであり、簡単な操作により風向ルーバーを着脱できるという作用を有する。また、風向ルーバーは比較的固定強度を必要とするものでないため簡単な構成で取付手段を形成できるという作用を有する。
【００２４】
また、請求項５に記載の発明は、請求項４に記載の風向ルーバーにおいて、前記係止部は一端側にのみ設けるものであり、風向ルーバーの一端側に設けられた係止部を摺動部分として風向ルーバーを左右方向に移動させることが容易となり、風向ルーバーの設置箇所の位置調整が比較的容易に行うことができるという作用を有する。
【００２５】
また、請求項６に記載の発明は、請求項５に記載の風向ルーバーにおいて、前記係止部は前記排気口を覆って設けられる排気カバーと調理機器のトッププレートとの間に嵌挿されるものであり、係止部を風向ルーバーのトッププレート寄りの一端側に設けることにより、排気カバーと調理機器のトッププレートとの間に通常生じる隙間を活用できるので簡単な構成で係止部を形成できるという作用を有する。
【００２６】
また、請求項７に記載の発明は、請求項１〜６のいずれかに記載の風向ルーバーにおいて、前記風向手段は傾斜角度が前後方向に可変自在な羽根部で構成されるものであり、ロースターの排気口から吹き出される油煙等の気流の方向を、排気装置の吸込口へ向かうようにより適切に調整できるという作用を有する。
【００２７】
また、請求項８に記載の発明は、請求項７記載の風向ルーバーにおいて、前記羽根部はたたむことで全閉可能な構成とするものであり、ロースターを使用しないときは前記羽根部をたたむことにより風向ルーバーを比較的突部のない平らな状態にすることができ、風向ルーバーを取り付けた状態でも調理の邪魔にならないようにすることができるという作用を有する。
【００２８】
また、請求項９に記載の発明は、請求項１〜８のいずれかに記載の風向ルーバーの表面に親水性塗装を施したものであり、排気に含まれる油等の汚れがルーバーに付着しても、水洗いするだけで容易に掃除することができ、掃除の負担を軽減し掃除性を向上することができるという作用を有する。
【００２９】
また、請求項１０に記載の発明は、請求項１〜８のいずれかに記載の風向ルーバーの表面に光触媒塗装を施したものであり、排気に含まれる油等の汚れがルーバーに付着しても、光を照射するだけで汚れを分解することができるので、掃除の負担を軽減できるという作用を有する。
【００３０】
また、請求項１１に記載の換気装置の発明は、調理機器の後方で壁側のロースターの排気口から上昇しようとする油煙等を、請求項１〜１０のいずれかに記載の風向ルーバーにより前方側に吹き出させて、前記調理機器の上方に備えた排気装置の吸込口へ誘導する気流を形成させるものであり、壁に沿って上昇しやすいロースターから発生する油煙や蒸気を調理機器の前方に向けることにより、油煙が室内に残ることを防止して捕集効率の良い換気装置を提供することができるという作用を有する。
【００３１】
以下、本発明の実施の形態について、図１〜図７を参照しながら説明する。
【００３２】
（実施の形態１）
本発明の風向ルーバーは、調理機器であるＩＨ調理コンロ８に備えられたロースター１５の排気口１０に取り付けるための取付手段を構成する係止部４と、排気口１０から吹き出される排気流を、ＩＨ調理コンロ８の上方に設けられる排気装置１６の吸込口１６ａに向かうように前方寄りに吹き出させるための風向手段である羽根部２とを備え、係止部４により排気口１０に着脱自在とするものである。そして、風向ルーバー５は、排気風向を変更する風向手段と風向ルーバー５を着脱自在に固定する取付手段とからなる。
【００３３】
図１および図２で示すように、排気風向を変更する風向手段は、ロースター１５の排気口１０と同等またはそれ以上の大きさをもつベース３と、ＩＨ調理コンロ８の前方に向いた開口１と、ＩＨ調理コンロ８の後方から前方に向けて高くなるように傾斜した羽根部２とを備え風向ルーバー５を構成する。
【００３４】
また、排気口１０には、これを覆うように排気カバー７を設け、排気カバー７の上に風向ルーバー５は着脱自在に設けられるものである。
【００３５】
傾斜した羽根部２の枚数は少なくとも１枚以上であり複数の開口１を有するように構成する。また、ロースター１５の排気性能を悪化させず、排気風速等を変えないためにロースター１５の排気口１０の面積と同等またはそれ以上の開口面積を持つことが望ましい。
【００３６】
図２に示す取付手段は、風向ルーバー５のベース３の前方、または後方の端部を折り曲げて下方に向けて突出する形状に形成された係止部４を既存の調理機器であるＩＨ調理コンロ８に備えつけられたロースター１５の排気口１０の穴に装着する構成とする。
【００３７】
係止部４は、風向ルーバー５のベース３の周縁部のどこに設けても良い。
【００３８】
なお、係止部４を風向ルーバー５の周縁部の一端側のみに設けた場合には、この係止部４を摺動部分として風向ルーバー５を左右方向に移動させることが容易となり、風向ルーバー５の設置箇所の位置調整が比較的容易に行うことができる。
【００３９】
また、係止部４をロースター１５の排気口１０とＩＨ調理コンロ８のトッププレート８ａとの間に装着する構成としてもよい。
【００４０】
また、係止部４は、ロースター１５の排気口１０とＩＨ調理コンロ８のトッププレート８ａとの間に通常形成される隙間に嵌挿する構成とすれば、係止部４を風向ルーバー５のトッププレート８ａ寄りの一端側に設けることにより、この隙間を有効に活用することができ、簡単な構成で係止部４を形成することができる。
【００４１】
これらの構成より、ＩＨ調理コンロ８の後方で壁側のロースター１５の排気口１０から上昇しようとする油煙等を風向ルーバー５により前方側に吹き出させて、ＩＨ調理コンロ８の上方に備えた排気装置１６の吸込口１６ａへ誘導する気流を形成させる換気装置を構成することとなる。これにより、壁に沿って上昇しやすいロースター１５から発生する油煙や蒸気をＩＨ調理コンロ８の前方に向けることにより、油煙が室内に残ることを防止して捕集効率の良い換気装置を提供することができる。
【００４２】
以下に、風向ルーバー５をＩＨ調理コンロ８に取り付ける方法を説明する。図３および図４に示すように、ＩＨ調理コンロ８はコンロ後方に横方向に長い開口９を有しておりその一部分にロースター１５の排気口１０がある。この開口９は多数の穴を持つ排気カバー７で覆われている。この排気カバー７と開口９の取付け部には着脱を容易にする目的で１〜３ｍｍ程度の隙間６を有している。そして、風向ルーバー５は前述のベース３に形成される係止部４をこの隙間６に挿入して取り付けられ、取り外すときは風向ルーバー５の上方に抜き出すことによって着脱自在にする構成されている。
【００４３】
このように本発明の実施の形態によれば、図５に示すように、ロースター１５の排気口１０上に取付けられた風向ルーバー５によって、ロースター１５から排気される煙は壁から離れる向きに吹き出され、このことにより気流が壁に沿って上昇する現象を抑えることができるとともに、ＩＨ調理コンロ８の中央側に流れることでＩＨ調理コンロ８の上方に設置されたレンジフード等の排気装置１６の吸込口１６ａに吸い込まれ易くなる。風向ルーバー５の開口面積をロースター１５の排気口１０の面積と同等以上とすることで風速も変わらないことから、風向をＩＨ調理コンロ８の中央側に向けても排気される風は調理者に届かず不快感を与えることもない。
【００４４】
また、風向ルーバー５は着脱可能な差込み式にすることで左右方向に任意に動かせてロースター１５の排気口１０と位置合わせが行い易く、係止部４を一端側のみに設けたことで前後方向には不用意に動くこともなく、左右方向の摺動性が向上する。また、ロースター１５を使用しない際は取り外すことで調理の妨げになることもない。
【００４５】
なお、本実施の形態の風向ルーバーは、金属板の加工によるルーバーの他に、鋳物や樹脂等の成形による風向ルーバーとしてもよい。また、取付手段は、バネ性を利用した構造や磁石による固定方式などを用いて着脱自在に構成してもよい。
【００４６】
なお、風向ルーバー５の表面に親水性塗装を施すことにより、ロースター１５の排気に含まれる油煙が風向ルーバー５に付着しても水洗いすることで容易に掃除することができる。
【００４７】
さらに、風向ルーバー５の表面に光触媒塗装を施すことにより、ロースター１５の排気に含まれる油煙が風向ルーバー５に付着しても光を照射することで汚れを分解することができ掃除が不要となる。
【００４８】
（実施の形態２）
図６に示すように、羽根部回動軸１１により傾斜角度が前後方向に可変自在な羽根部２Ａを備えて風向ルーバー５Ａを構成する。なお、実施の形態１と異なるところは、羽根部の傾斜角度を調節可能とした点であり、その他の構成は同様でありその説明を省略する。
【００４９】
そして、羽根部２Ａは羽根部回動軸１１を中心として回動可能で、任意の角度で固定可能な構成であることにより、ロースター１５の排気口１０から吹き出される油煙等の気流の方向を、排気装置１６の吸込口１６ａへ向かうようにしてより適切に調整することができる。
【００５０】
図６に示すように羽根部２Ａの角度の調整は各々の羽根部２Ａの角度を手で自在に調整できるものの他に、図７に示すように全ての羽根部を連結部１４により各羽根部２Ｂを軸１２を介して連結させ、連結部１４に設けた操作レバー１３を操作することで全ての羽根部を同じ角度に調節できる構成としてもよい。
【００５１】
このように本発明の実施の形態２によれば、羽根部２Ａ、２Ｂの傾斜角度を前後方向に可変自在とすることにより、ロースター１５から発生する油煙等の排気方向を排気装置１６の吸込口１６ａに対して適した方向に調節することができる。
【００５２】
また、羽根部２Ａ、２Ｂをベース３とほぼ面一に収めて全閉可能な構成とすることで、ロースター１５を使用しないときは羽根部２Ａ、２Ｂをたたむことにより風向ルーバーを比較的突部のない平らな状態にすることができ、風向ルーバーを取りはずす必要がなく、風向ルーバーを取り付けた状態でも調理の邪魔にならないようにすることができる。
【産業上の利用可能性】
【００５３】
本発明の風向ルーバーは、排気装置の真下にない、比較的離れた場所にある汚染空気のの排気方向を可変させるためにその汚染空気が排出される部位に設けることにおいて有用である。
【図面の簡単な説明】
【００５４】
【図１】本発明の実施の形態１における風向ルーバーの構成を示す斜視図
【図２】同風向ルーバーの構成を示す断面図
【図３】同風向ルーバーの取付状態を示す断面図
【図４】同風向ルーバーの取付に係る各構成要素を示す斜視図
【図５】同風向ルーバーと排気装置との関係を示す断面図
【図６】本発明の実施の形態２における風向ルーバーの構成を示す断面図
【図７】同風向ルーバーの他の構成を示す断面図
【図８】従来の換気装置の構成を示す正面断面図
【図９】同換気装置の下方に設けられる調理コンロの構成を示す斜視図
【図１０】従来の他の換気装置および調理コンロの構成を示す断面図
【符号の説明】
【００５５】
１    開口
２    羽根部
２Ａ  羽根部
２Ｂ  羽根部
４    係止部
５    風向ルーバー
５Ａ  風向ルーバー
５Ｂ  風向ルーバー
６    隙間
７    排気カバー
８    ＩＨ調理コンロ
８ａ  トッププレート
１０  排気口
１５  ロースター
【図１】
2005274037.tif 000003
【図２】
2005274037.tif 000004
【図３】
2005274037.tif 000005
【図４】
2005274037.tif 000006
【図５】
2005274037.tif 000007
【図６】
2005274037.tif 000008
【図７】
2005274037.tif 000009
【図８】
2005274037.tif 000010
【図９】
2005274037.tif 000011
【図１０】
2005274037.tif 000012